(57)【要約】【課題】  椅子を確実に浴槽の底に沈ませて使用できるようにするとともに併せて健康を増進させる機能的趣向性をも備えた半身浴用木製椅子を提供する。【解決手段】  脚板２の上端部２ａに穿設した縦穴６に金属製の錘７を嵌め込んで浴槽内に沈めて用いる座板１と二枚の脚板二とから成る木製の椅子であって、前記座板１は、上面１ａの中央部に陥没部３を切り抜き、該陥没部３の底面に敷設した伝熱性金属板５上に浴槽温水の熱で遠赤外線を放射し得る石板４を嵌め込むと共に座板１の下面１ｂには前記伝熱性金属板５に浴槽温水を通す底孔８を穿設し、前記両脚板２の縦穴６部分を避けた部位に肉盗孔９を開設する。【選択図】    図３
0003134561.tif 000002
【実用新案登録請求の範囲】
【請求項１】
脚板の上端部に穿設した縦穴に金属製の錘を嵌め込んで浴槽内に沈めて用いる座板と二枚の脚板とから成る木製の椅子であって、
前記座板は、上面の中央部に陥没部を切り抜き、該陥没部の底面に敷設した伝熱性金属板上に浴槽温水の熱で遠赤外線を放射し得る石板を嵌め込むと共に座板の下面には前記伝熱性金属板に浴槽温水を通す底孔を穿設したことを特徴とする半身浴用木製椅子。
【請求項２】
両脚板に浮力を抑制する為の肉盗孔を穿設したことを特徴とする請求項１に記載の半身浴用木製椅子。
【請求項３】
脚板の上端部に穿設した縦穴に金属製の錘を嵌め込んで浴槽内に沈めて用いる台板と二枚の脚板とから成る木製の足台であって、
前記台板は、上面の中央部に陥没部を切り抜き、該陥没部の底面に敷設した伝熱性金属板上に浴槽温水の熱で遠赤外線を放射し得る石板を嵌め込むと共に台板の下面には前記伝熱性金属板に浴槽温水を通す底孔を穿設し、
前記両脚板は、台板に固着された一辺と他の二辺との取り合い角度が鋭角となる三角形に形成したことを特徴とする半身浴用木製足台。
【請求項４】
両脚板に浮力を抑制する為の肉盗孔を穿設したことを特徴とする請求項３に記載の半身浴用木製足台。
【考案の詳細な説明】
【技術分野】
【０００１】
本考案は、人が浴槽の中で腰を下ろし、上半身は水面上へ、下半身は水面下に置き、椅子としては若干低めの高さで、人が立ち上がっても浮力によって浮き上がらない、半身浴用木製椅子と、浴槽の中で椅子に腰を下ろした人が足を載せる足台に関する。
【背景技術】
【０００２】
人の体温程度の湯水を利用して、長時間掛けてゆっくりと下半身の湯水浴ができるよう半身浴用木製椅子が提案されているが、木は浮力が大きいため浴槽の中で椅子から離れるたびに水面に浮き上がって漂い使用しにくく、また毎回沈めて使用するのは面倒であったので、本発考案者は先に下記特許文献１の椅子が確実に浴槽の底に沈むようにした錘（図７の符号Ａで示す）付きの半身浴用木製椅子を提案している。
また、椅子に腰を下ろして足を伸ばすと足の位置が定まらなくなり、安定した半身浴ができなかった。
【特許文献１】実用新案登録第３０９２０５０号公報
【考案の開示】
【考案が解決しようとする課題】
【０００３】
しかし、木の浮力は思ったより大きく、浴槽の底に安定させて沈めるのが充分ではなかった。
また、このような椅子では入浴姿勢を高く保つだけで健康な利点がなく、趣向性の乏しいものであった。
そこで、本考案は、椅子を確実に浴槽の底に沈ませて使用できるようにするとともに併せて健康を増進させる機能的趣向性をも備えた半身浴用木製椅子を提供し、併せて、浴槽の中で椅子に腰を下ろした人が足を載せて足に位置を最適に定めることができる足台を提供することを目的とする。
【課題を解決するための手段】
【０００４】
上記課題を解決するための本考案の半身浴用木製椅子の請求項１に記載の考案にあっては、脚板の上端部に穿設した縦穴に金属製の錘を嵌め込んで浴槽内に沈めて用いる座板と二枚の脚板とから成る木製の椅子であって、前記座板は、上面の中央部に陥没部を切り抜き、該陥没部の底面に敷設した伝熱性金属板上に浴槽温水の熱で遠赤外線を放射し得る石板を嵌め込むと共に座板の下面には前記伝熱性金属板に浴槽温水を通す底孔を穿設したことを特徴とする。
【０００５】
請求項２に記載の考案は、上記考案において、前記両脚板に浮力を抑制する為の肉盗孔を穿設したことを特徴とする。
【０００６】
請求項３に記載の半身浴用木製足台の考案にあっては、脚板の上端部に穿設した縦穴に金属製の錘を嵌め込んで浴槽内に沈めて用いる台板と二枚の脚板とから成る木製の足台であって、前記台板は、上面の中央部に陥没部を切り抜き、該陥没部の底面に敷設した伝熱性金属板上に浴槽温水の熱で遠赤外線を放射し得る石板を嵌め込むと共に台板の下面には前記伝熱性金属板に浴槽温水を通す底孔を穿設し、前記両脚板は、台板に固着された一辺と他の二辺との取り合い角度が鋭角となる三角形に形成したことを特徴とする。
【０００７】
請求項４に記載の考案は、上記考案において、前記両脚板に浮力を抑制する為の肉盗孔を穿設したことを特徴とする。
【考案の効果】
【０００８】
本考案は上記構成なので、半身浴用木製椅子においては、木製に脚板の内部の埋め込まれた錘と、座板の石板の重とで木の大きな浮力が抑えられ、さらに肉盗孔によって木材の使用量を減少させることによって木の浮力が減少できるので、確実に且つ安定状態に浴槽の底に沈めておくことが可能となる。
したがって椅子から腰を浮かしても、椅子が水面に浮き上がったり、水中に漂うようなことは全くなくなる。
また、椅子が浴槽内で温水に浸かると、座板の下面に設けた底孔から伝熱性金属板に直接にお湯の温度が伝わって、さらに、その温度はこの板の上の冷えていた石板の全体を素早く暖ためて板面を暖かく保つことが可能となる。
温水の高い温度で暖められた石板からは遠赤外線が放射されるようになり、このとき、下半身を湯水に浸けて座部に座ると、石板から発生した遠赤外線によって臀部から身体内部が温められ、体温が上昇して新陳代謝が盛んとなり健康が増進される。
【０００９】
また、半身浴用木製足台は、脚板を三角形とした形態では浴槽の底に斜めに置いて、図６に示すように、上記半身浴用木製椅子に座った人の足を斜めに安定させて載せ置くことが可能となる。
この際も、上記半身浴用木製椅子と同様に、木製に脚板の内部の埋め込まれた錘と、座板の石板の重とで木の大きな浮力が抑えられ、さらに肉盗孔によって木材の使用量を減少させることによって、椅子から腰を浮かしても、椅子が水面に浮き上がったり、水中に漂うようなことは全くなくなり、確実に且つ安定状態に浴槽の底に沈めておくことが可能となる。
また、椅子が浴槽内で温水に浸かると、座板の下面に設けた底孔から伝熱性金属板に直接にお湯の温度が伝わって、さらに、その温度はこの板の上の冷えていた石板の全体を素早く暖ためて板面を暖かく保ちことも上記半身浴用木製椅子と同様であり、石板から放射された遠赤外線で足から身体内部を温めることが可能となる。
【考案を実施するための最良の形態】
【００１０】
本考案の実施の形態を示す図に基づいて以下説明する。
本考案の半身浴用木製椅子は、図６に示すように、浴槽内に沈めて用いる座板１と脚板２とから成る木製の椅子であり、肉厚の板がブナ材のダボ１２を介設して接着剤で固定され一体化される。
用いる板材は水に強く抗菌効果が有る桧材が好ましく、この座板１は厚さ３０ｍｍで、縦１６０ｍｍ、横２８０ｍｍの大きさのものを用い、２枚の脚板２は厚さ３０ｍｍで、高さ９０ｍｍの大きさとのものを用いる。
【００１１】
そして、図１及び図３に示すように、その座板１は、上面１ａの周縁部を除く中央部に縦２００ｍｍ、横１００ｍｍ、厚さ２０ｍｍの四角の陥没部３を切り抜く。
そして該陥没部３の底面には厚さ１ｍｍの伝熱性金属板５を敷く。この伝熱性金属板５には銅板又は真鍮板などが使用できる。
この該伝熱性金属板５の上に、さらに上面４ａが前記座板の上面１ａと略面一となる平面の縦２００ｍｍ、横１００ｍｍ、厚さ２０ｍｍの遠赤外線を放射し得る石板４を嵌めこむ。
この石板４の重量はゲルマニウム鉱石では約１ｋｇある。
【００１２】
前記石板４の材料はトリマリン、ブラックシリカ、ラジウム、麦飯石などの鉱石を使用すると遠赤外線の放射以外にも各種機能が得られる。
例えば、ゲルマニウムでは強い遠赤外線が発生し、トリマリンでは水質が浄化され、ブラックシリカでも遠赤外線が発生し、ラジウムではマイナスイオンが放出され、麦飯石では消臭効果が得られる。
【００１３】
また、前記２枚の脚板２は中央に２.５５ｍｍ径の縦穴６を穿鑿して該縦穴６に２５ｍｍ径で長さ５５ｍｍの金属製の錘７をそれぞれ嵌め込んで、これらの脚部上端部２ａを前記座板１の下面１ｂの両側に寄り部位にダボ１２を介して接着剤で固着する。
金属製の錘７の材質としては、木材の浮力に抗するかめ、鉛や真鍮などの比重の高い金属が使用されるが、真鍮製の場合では重量が１個約２５０ｇとなる。両側で二個であるので合計２５０ｇとなる。
さらに、前記座板１の下面１ｂには、間隔を置いて前記伝熱性金属板５に達する２１ｍｍ径の底孔８を横一列に３個間隔を置いて開設する。
また、前記両脚板２の縦穴６を避けた部位には３０ｍｍ径の肉盗孔９を開設する。
【００１４】
さらに、前記脚板２の下部２ｂには防滑ゴム１０を突設する。これによって、浴槽の底を傷着けなくでき、浴槽内での転倒防止にも役立つ。
【００１５】
他方、半身浴用木製足台は、図５に示すように、桧の台板１３と三角形の脚板１４とを用いる。
前記台板１３は、上記半身浴用木製椅子の前記座板１と同様の構造とする。
即ち、桧の台板１３は上面１３ａの周縁部を除く中央部に陥没部を切り抜き、該陥没部２１の底面に伝熱性金属板１５を敷いて、該伝熱性金属板１５上に、上面２０ａが前記台板１３の上面１３ａと略面一となる平面の遠赤外線を放射し得る石板２０を嵌めこむ。
前記脚板１４は、頂部１３ｄを１０５度とし、他を３０度及び４５度とした三角形の桧の板を用いる。
【００１６】
そして、三角形の一辺１４ａの上端部中央に縦穴１７を穿鑿して該縦穴１７に金属製の錘１８を嵌め込むとともに前記台板１３の両側寄りの下面にそれぞれ接着剤で固着する。
そして、前記台板１３の下面１３ｂには間隔を置いて前記伝熱性金属板１５に達する底孔１６を開け、前記両脚板１４の前記縦穴１７を避けた部位に肉盗孔１９を開設する
この半身浴用木製足台は浴槽の底に斜めに置いて、図６に示すように、置き方によって、３０度及び４５度の２種類に前記台板１３の傾斜角度を変えて、その台板１３に足を斜めに載せることができる。
また、この半身浴用木製足台は、上記半身浴用木製椅子と同様に、石板の温度が上げられると遠赤外線を放射して足を内部から温めるので健康にも有益となる。
【００１７】
以上のように本考案では、上記半身浴用木製椅子及び半身浴用木製足台を同時に用いれば、図６に示すように、上記半身浴用木製椅子で腰を浮かせて上半身を湯水から出し、下半身だけお湯の中に入れ、同時に足は半身浴用木製足台に斜めに載せて安定させ、健康増進させつつ半身浴が充分楽しめるようになる。
なお、前記半身浴用木製椅子の脚板２の下端面２ｂに防滑ゴム１０を木ネジ１１で固定しておければ、一般に滑り易くなっている浴槽の底であっても滑りにくなり、また浴槽内の底面を傷着けることもない。
【産業上の利用可能性】
【００１８】
本考案は、半身浴用木製椅子は浴槽に湯の中に沈降させて用いる椅子であるが、浴槽外の洗い場などで使用することも可能である。
【図面の簡単な説明】
【００１９】
【図１】本考案の半身浴用木製椅子の斜視図である。
【図２】図１の形態を下から見た斜視図である。
【図３】図１の形態の縦断斜視図である。
【図４】図１の形態の別角度からの縦断斜視図である。
【図５】半身浴用木製足台の下から見た斜視図である。
【図６】使用状態を示す側面図である。
【図７】従来の半身浴用木製椅子の側面図である。
【符号の説明】
【００２０】
１    座板
１ａ  座板の上面
１ｂ  座板の下面
２    脚板
２ａ  脚座の上端面
２ｂ  脚座の下端面
３    陥没部
４    石板
４ａ  石板の上面
５    銅板
６    縦穴
７    錘
８    底孔
９    肉盗孔
１０    防滑ゴム
１１    木ネジ
１２    ダボ
１３    台板
１３ａ  台板の上面
１３ｂ  台板の下面
１４    脚板
１４ａ  脚座の上端面
１４ｂ  脚座の辺面
１４ｃ  脚座の辺面
１４ｄ  脚座の頂部
１５    銅板
１６    底孔
１７    縦穴
１８    錘
１６    底孔
１９    肉盗孔
２０    石板
２０ａ  石板の上面
２１    陥没部
【図１】
0003134561.tif 000003
【図２】
0003134561.tif 000004
【図３】
0003134561.tif 000005
【図４】
0003134561.tif 000006
【図５】
0003134561.tif 000007
【図６】
0003134561.tif 000008
【図７】
0003134561.tif 000009